(57)【要約】【課題】  複数の端子を持つ部品の電気的な測定の支援のため、特別な加工を基板に施すことなく、迅速で正確な端子番号指示の手段を提供する。【解決手段】  プローブ１に加速度センサ２を取り付け、加速度センサ２の計測値によりプローブ１の振動回数を計数する計数器３と、計数器３の計数値に基づいてプローブ１の先端が触れている端子番号を表示する表示器４を備えることで、複数の端子の中から所望の端子番号の端子を、迅速かつ正確に見つけ出すことができる端子番号出力装置を得る。【選択図】      図１
2016148600.tif 000002
【特許請求の範囲】
【請求項１】
被測定部品の有する複数の端子の電気特性を計測するプローブと、
上記プローブに取り付けられた計測センサと、
上記計測センサに接続され、当該計測センサの計測値により上記プローブが接触もしくは接近している端子の順序を計数する計数器と、
上記計数器に接続され、当該計数器の計数値に基づいて上記プローブの先端が接触もしくは接近している上記端子の端子番号を表示する表示器と、
を備えた端子番号出力装置。
【請求項２】
被測定部品の有する複数の端子の電気特性を計測するプローブと、
上記プローブに取り付けられた加速度センサと、
上記加速度センサに接続され、当該加速度センサの計測値により上記プローブの振動回数を計数する計数器と、
上記計数器に接続され、当該計数器の計数値に基づいて上記プローブの先端が触れている上記端子の端子番号を表示する表示器と、
を備えた端子番号出力装置。
【請求項３】
被測定部品の有する複数の端子の電気特性を計測するプローブと、
上記プローブに取り付けられた静電容量センサと、
上記静電容量センサに接続され、当該静電容量センサの計測値により上記プローブと上記端子の間の静電容量の変化を計数する計数器と、
上記計数器に接続され、当該計数器の計数値に基づいて上記プローブの先端が接近している上記端子の端子番号を表示する表示器と、
を備えた端子番号出力装置。
【発明の詳細な説明】
【技術分野】
【０００１】
この発明は、複数の端子を持つ部品の端子番号を出力する端子番号出力装置である。
【背景技術】
【０００２】
テスター、オシロスコープなどの測定器を用いて電気回路の電気的な計測を行う際、測定したい端子に対して測定器のプローブを接触させる。このとき、目的の端子を探し出す作業は、部品の端子の数を目視にて数えて端子に直接プローブを接続するか、もしくは部品の端子に予め信号線を接続してプローブを接触させ易い場所まで信号線を引き出し、端子に対し間接的にプローブを接続することが行われている。例えば特許文献１は、複数のソケットピン、プローブピン選択回路、およびプローブピン選択回路を介してソケットピンに接続されるプローブ用ピンを設けた専用のソケットが開示されている。部品の各端子にそれぞれ対応するソケットピンを接続して、プローブピン選択回路にて所望のプローブピンを選択する。これによって選択したプローブピンにプローブを接続することで、端子に対して間接的にプローブを接続することができる。
【先行技術文献】
【特許文献】
【０００３】
【特許文献１】特開平４−１９２３４４号公報
【発明の概要】
【発明が解決しようとする課題】
【０００４】
従来、部品の端子に直接プローブを接触させる場合、部品の端子を目視にて直接数えることは大変な労力を伴う作業となる。例えば近年のプリント基板の高集積化、部品の小型化により、端子が極めて小さくなりかつ端子数が多いので、目視にて端子数を数えることが困難である。
【０００５】
また、特許文献１に示すような専用のソケットを用いる場合、予め部品に専用のソケットを実装し、部品の端子にソケットピンを接触させる特別な前加工処理を行う必要がある。このためソケットの実装に時間を要することから、プローブを端子に接続して電気特性の測定を始めるまでに、時間と労力を要するという問題がある。
【０００６】
この発明は係る課題を解決するためになされたものであって、複数の端子を持つ部品の端子に特別な前加工処理を行うことなく、複数の端子の中から所望の端子番号の端子を容易に見出だすことを目的とする。
【課題を解決するための手段】
【０００７】
この発明による端子番号出力装置は、被測定部品の有する複数の端子の電気特性を計測するプローブと、上記プローブに取り付けられた計測センサと、上記計測センサに接続され、当該計測センサの計測値により上記プローブが接触もしくは接近している端子の順序を計数する計数器と、上記計数器に接続され、当該計数器の計数値に基づいて上記プローブの先端が接触もしくは接近している上記端子の端子番号を表示する表示器とを備えたものである。
【発明の効果】
【０００８】
この発明によれば、部品の電気回路に特殊な前加工処理を施すことなく、複数の端子の中から所望の端子番号の端子を、迅速かつ正確に見つけ出すことができる。
【図面の簡単な説明】
【０００９】
【図１】この発明の実施の形態１による端子番号を表示する端子番号出力装置を示す図である。
【図２】この発明の実施の形態１による端子番号出力装置の加速度センサを用いた端子番号の計数動作を説明するための図である。
【図３】この発明の実施の形態２による端子番号出力装置の静電容量センサを用いた端子番号の計数動作を説明するための図である。
【図４】この発明の実施の形態３による端子番号出力装置のスピーカーによる音声出力動作を説明するための図である。
【発明を実施するための形態】
【００１０】
実施の形態１．
以下、図を用いてこの発明にかかる実施の形態１の端子番号出力装置について説明する。図１は実施の形態１による端子番号出力装置の構成を示す図である。図１において、端子番号出力装置は、プローブ１と、加速度センサ２と、計数器３と、表示器４を備えている。計数器３は、テスター、オシロスコープ等の外部の電気特性計測装置１０に接続されている。表示器４は、液晶ディスプレイ、ＬＥＤディスプレイ、有機ＥＬ素子ディスプレイ等の表示ディスプレイが設けられており、入力されるディジタル信号を表示ディスプレイに表示する。
【００１１】
電気特性計測の測定者は、被測定部品である被計測対象となる複数の端子を有した部品１００について、端子番号出力装置のプローブ１により各端子を端からなぞっていくことによって、端子番号の計数を自動的に行う。端子番号出力装置は、計数した端子番号を電気特性計測の測定者に表示する。また、電気特性計測の測定者は、被計測対象となる部品１００の各端子について、端子番号出力装置のプローブ１の先端を接触させることにより、電気特性計測装置１０を用いて、部品１００の各端子のインピーダンス、導通等の電気特性を計測する。
ここで、被計測対象となる部品１００は、配線回路が形成され、配線回路に電子回路が実装された配線回路基板から構成される。各端子は配線回路の一部を形成しており、配線回路基板における配線回路を実装する上面（誘電体表面）から所定の厚みを有して上部に突出している。
【００１２】
プローブ１は、加速度センサ２がとりつけられている。加速度センサ２は計数器３と接続され、計数器３は表示器４と接続されている。加速度センサ２の計測した加速度は計数器３に入力される。計数器３は、加速度センサ２の計測した加速度に基づいて端子の番号を計数し、計数値のディジタル信号を表示器４に出力する。表示器４は、計数器３からディジタル信号として入力される計数値を表示ディスプレイに表示出力する。
【００１３】
次に、実施の形態１による端子番号出力装置の動作について図を用いて説明する。図２は、実施の形態１による端子番号出力装置の加速度センサを用いた端子番号の計数動作を説明するための図である。
【００１４】
まず、電気特性計測を行う測定者は、被計測対象となる部品１００の回路設計図面に従い、プローブ１の移動経路を予め定め、当該定めた移動経路に沿って予め端子番号を割り振っておく。
測定者は、被計測対象となる部品１００における複数並んだ端子５を、プローブ１の先端でなぞる。
このとき測定者は、部品１００における予め定めた所定の隅の端子５から予め定めた所定の方向に、全ての端子５を一筆書きで１回のみプローブ１の先端でなぞるように、移動経路を設定する。この予め設定した移動経路に沿って、測定者はプローブ１を移動する。
【００１５】
測定者が予め設定された移動経路に沿って複数並んだ端子５を順次なぞると、プローブ１の先端は、配線回路基板における配線回路を実装する上面から端子５の上面を登り、その後端子５と端子５の間における配線回路を実装する上面に落ちるという上下動の動作を繰り返す。加速度センサ２は、このときのプローブ１の上下動により発生する振動を検出する。
【００１６】
計数器３は、加速度センサ２の検出した振動によって、プローブ１の上下の振動が何回発生したか計数し、その計数値を出力する。例えばＮ個（Ｎは２以上）の端子５をなぞれば、Ｎ回のプローブ１の上下振動が発生するので、上下振動の数（計数値Ｎ）を計数することによって端子番号を付与することができる。
【００１７】
ここで、計数器３は、プローブ１の先端が部品１００の配線回路基板における配線回路を実装する上面から端子５の上面に上り、加速度センサ２が検出する加速度が所定の値以上となったときに、端子番号の計数値を１つ上げる。
また、計数器３は、プローブ１の先端が端子５の上面から配線回路を実装する上面まで落ちた後、再び部品１００の配線回路基板における配線回路を実装する上面から端子５の上面に上ったときに、端子番号の計数値をさらに１つ上げる。
【００１８】
表示器４は、計数器３から入力された計数値を表示する。
ここで、電気特性計測を行う測定者は、部品１００の回路設計図面に従い、プローブ１の移動経路を予め定め、当該定めた移動経路に沿って端子番号を決めている。
このため表示器４が、計数器３から入力された計数値を表示することにより、現在プローブ１の先端が触れている端子５の端子番号を、電気特性計測を行う測定者に指示することができる。
【００１９】
以上説明した通り、実施の形態１による端子番号出力装置は、被測定部品の有する複数の端子の電気特性を計測するプローブ１と、上記プローブ１に取り付けられた加速度センサ２と、上記加速度センサ２に接続され、当該加速度センサ２の計測値により上記プローブ１の振動回数を計数する計数器３と、上記計数器３に接続され、当該計数器３の計数値に基づいて上記プローブ１の先端が触れている上記端子５の端子番号を表示する表示器４とを備えたことを特徴とする。
【００２０】
すなわち、被測定部品の有する複数の端子の電気特性を計測するプローブと、上記プローブに取り付けられた計測センサと、上記計測センサに接続され、当該計測センサの計測値により上記プローブが接触もしくは接近している端子の順序を計数する計数器と、上記計数器に接続され、当該計数器の計数値に基づいて上記プローブの先端が接触もしくは接近している上記端子の端子番号を表示する表示器とを備えている。
【００２１】
これによって、複数の端子を有する部品１００の電気回路に特殊な前加工処理を施すことなく、複数の端子の中から所望の端子番号の端子を、迅速かつ正確に見つけ出すことができる。このため各端子にプローブを接触させて電気特性を計測する際の測定効率を、より向上することができる。
【００２２】
実施の形態２．
実施の形態２による端子番号出力装置は、実施の形態１による図１の振動を検出する加速度センサ２の代わりに、静電容量センサ６を用いたことを特徴とする。図３は、この発明に係る実施の形態２による端子番号出力装置の静電容量センサを用いた端子番号の計数動作を説明するための図である。図３において、実施の形態２による端子番号出力装置は、プローブ１と、静電容量センサ６と、計数器３と、表示器４を備えている。計数器３は、テスター、オシロスコープ等の外部の電気特性計測装置１０に接続されている。ここで、プローブ１、計数器３、表示器４は図１と同様のものである。
【００２３】
静電容量センサ６は、計数器３と接続され、計数器３は表示器４と接続されている。静電容量センサ６の計測した加速度は計数器３に入力される。計数器３は、静電容量センサ６から入力される計測値に基づいて、被測定部品である部品１００の端子５の端子番号を計数し、計数値を表示器４に表示出力する。静電容量センサ６は、部品１００における端子５の周囲をプローブ１でなぞった際の、プローブ１と端子５の間の静電容量の変化を検出し、検出した静電容量の変化をディジタル信号の計測値として、計数器３に出力する。表示器４は、計数器３からディジタル信号として入力される計数値を表示ディスプレイに表示出力する。
【００２４】
測定者は、予め定めた移動経路に沿って、被計測対象となる部品１００における複数並んだそれぞれの端子５の周囲（例えば直上部）を、プローブ１の先端でなぞる。図３の例において、端子５は配線回路基板の誘電体内部に埋設されているので、プローブ１の先端が端子５の直上を通過してもプローブ１は振動しない。
なお、端子５は、部品１００の側面から外側に突出させることで、配線回路基板の外部に露出している。このため電気特性を計測するときは、プローブ１を配線回路基板の外部に露出した端子５に接触させるので、電容量センサ６の出力する計測値は０になる。
【００２５】
測定者が予め設定された移動経路に沿ってそれぞれの端子５の周囲を順次なぞると、静電容量センサ６がプローブ１と端子５の間の静電容量の変化を検出する。
【００２６】
プローブ１が端子５の周囲を通過することで、静電容量センサ６がプローブ１と端子５による静電容量の変化を検出すると、その変化の計測値は計数器３に出力される。計数器３は、静電容量センサ６の計測値に基づき、静電容量の変化によって例えば静電容量が所定以上となる計測値が何回発生したのかを計数し、その計数値を出力する。例えばＮ個（Ｎは２以上）の端子５の周辺をなぞれば、静電容量の変化の振幅がＮ回発生するので、振幅の数（計数値Ｎ）を計数することによって端子番号を付与することができる。
【００２７】
ここで、計数器３は、プローブ１の先端が部品１００の端子５の直上部に接近し、静電容量センサ６が検出する静電容量が例えば所定の値以上となったときに、端子番号の計数値を１つ上げる。この段階で、測定者はプローブ１の先端を端子５に当てるので、静電容量センサ６の計測値は０になる。
また、計数器３は、プローブ１の先端が端子５の直上部から離れた後、再び部品１００の端子５の直上部に接近したときに、端子番号の計数値をさらに１つ上げる。
【００２８】
表示器４は、計数器３から入力された計数値を表示する。表示器４が、計数器３から入力された計数値を表示することにより、現在プローブ１の先端が接近している端子５の端子番号を、電気特性計測を行う測定者に指示することができる。
【００２９】
以上説明した通り、実施の形態２による端子番号出力装置は、被測定部品の有する複数の端子の電気特性を計測するプローブ１と、上記プローブ１に取り付けられた静電容量センサ６と、上記静電容量センサ６に接続され、当該静電容量センサ６の計測値により上記プローブ１と上記端子５の間の静電容量の変化を計数する計数器４と、上記計数器３に接続され、当該計数器３の計数値に基づいて上記プローブ１の先端が接近している上記端子５の端子番号を表示する表示器４とを備えたことを特徴とする。
【００３０】
すなわち、被測定部品の有する複数の端子の電気特性を計測するプローブと、上記プローブに取り付けられた計測センサと、上記計測センサに接続され、当該計測センサの計測値により上記プローブが接触もしくは接近している端子の順序を計数する計数器と、上記計数器に接続され、当該計数器の計数値に基づいて上記プローブの先端が接触もしくは接近している上記端子の端子番号を表示する表示器とを備えている。
【００３１】
これによって、複数の端子を有する部品１００の電気回路に特殊な前加工処理を施すことなく、複数の端子の中から所望の端子番号の端子を、迅速かつ正確に見つけ出すことができる。このため各端子にプローブを接触させて電気特性を計測する際の測定効率を、より向上することができる。
【００３２】
実施の形態３．
上記実施の形態１、２において、表示器４は、計数器３から入力される計数値を表示ディスプレイに表示出力することで、端子５の端子番号を表示する。表示器４による出力方法は、この表示ディスプレイを用いた方法の他、スピーカーを用いて音を出力するものであっても良い。図４は、この発明に係る実施の形態３による端子番号出力装置のスピーカー７による音声出力動作を説明するための図である。表示器４は、例えば予め設定しておいた端子番号まで計数が行われると、スピーカー７から所定の音を出力する。
【符号の説明】
【００３３】
１プローブ、２  加速度センサ、３  計数器、４  表示器、５  端子、６  静電容量センサ、７  スピーカー。
【図１】
2016148600.tif 000003
【図２】
2016148600.tif 000004
【図３】
2016148600.tif 000005
【図４】
2016148600.tif 000006